(57)【特許請求の範囲】
【請求項１】
上面を構成する上面部材と、
下面を構成する下面部材と、
側面を構成する側面部材と、
該側面部材と前記上面部材又は前記下面部材の少なくともいずれか一方とを連結すると共に、該連結状態において前記側面よりも突出する突出部を有する連結部材と、を有し、
前記上面部材、下面部材及び側面部材により略四角筒形状を呈し、
前記側面部材が、その側面の少なくとも両端部近傍において突出形成された突部を有し、
該突部が、前記側面部材の長手方向に沿って形成されたレール溝を有し、
前記連結部材の前記突出部以外の部分である表面よりも前記側面部材の前記突部が突出していることを特徴とする、遊技機用の外郭枠体。
【発明の詳細な説明】
【技術分野】
【０００１】
本発明は、遊技機用の外郭枠体に係り、特に、遊技機搬送等の取扱い時における破損やキズを防止したり目立たないキズとしたりすることにより取扱い適性を向上させた遊技機用の外郭枠体等に関する。
【背景技術】
【０００２】
パチンコ機等の遊技機においては、弾球された球が遊技領域（遊技盤面上又はその近傍に形成された領域であって、球の流下による遊技や演出を実現するための領域。）を流下して、その流下の過程で球が遊技領域内の障害釘（ゲージともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機は、機器全体が複数の枠体により囲まれるように構成されて、球の円滑な流下、遊技者による遊技盤への不正アクセス防止、パチンコホールへの設置性の向上、メンテナンス性の向上等様々な機能を実現している。例えば、遊技機設置島に取り付けるための筐体枠を最外郭に有し、筐体枠に対して前後揺動可能に軸支されて遊技盤を保持する機枠を筐体枠の内側又は前方に有し、機枠に対して前後揺動可能に軸支された前面枠を機枠の前方に有してパチンコ機の枠体が構成されている。
【０００４】
このようなパチンコ機の筐体枠は、例えば、４つの長辺部材が上下左右に連結されて略四角筒形状を呈するように構成され、その内側に各種機構部品を配置することができるようになっている（例えば、特許文献１の図１を参照。）。ここで、四角筒形状とは、全体として直方体形状を呈してその前後面が四角形断面に貫通開口した形状であり、換言すれば、円筒形状の断面を円から四角形に変更した形状である。
【０００５】
パチンコ機は、組立工場で組み立てられ、その後パチンコホール（遊技店）に輸送されて設置される。その際、最外郭に位置する筐体枠は、露出状態のままで取り扱われる場合がある。一方、組立て状態でのパチンコ機は比較的重いので、手軽に持ち運ぶという訳には行かず、運搬や取扱いが比較的困難な場合がある。その結果、パチンコ機２を運搬する際に、例えば筐体枠を床等に接した状態で滑らせて移動させる、ということが取扱い現場で行われる場合がある。
【０００６】
パチンコ機は、一般に正面視縦長の長方形状を呈している。したがって、取扱いに際しては、その安定性確保のために横倒し状態で取り扱われることが多い。例えば、筐体枠を床等に接した状態で滑らせて移動する際には、多くの場合に筐体枠の側面（長い方の面）を下にして移動が行われる。
【先行技術文献】
【特許文献】
【０００７】
【特許文献１】特開２００７−２８９５６５号公報
【発明の概要】
【発明が解決しようとする課題】
【０００８】
しかしながら、露出した状態の筐体枠を床等に接した状態で滑らせると、筐体枠と床等とが擦れて筐体枠にキズが付いてしまう虞がある。筐体枠は、パチンコホールの遊技機設置島にパチンコ機を設置した後には遊技者から殆ど見えなくなる枠体であるので、キズが付いてしまっても大きな問題とはならないとの考え方も有り得る。
【０００９】
しかしながら、取扱い時に付いたキズがパチンコ機の商品価値を低下させてしまう場合もあり、そのため、なるべくキズを付けないように留意してパチンコ機の取扱いを行う必要がある。しかし、全体として比較的重量のあるパチンコ機を、筐体枠にキズを付けないように慎重に取り扱うことは困難であり、また、慎重に取り扱おうとすると手間や時間がかかってしまって作業効率が低下してしまう。そのため、作業効率を低下させずに通常の取扱いを行ったとしても、筐体枠にキズが付きにくく、またキズが付いたとしても目立ちにくくすることができる提案が望まれていた。
【００１０】
本発明は、上記の事情に鑑みて為されたもので、遊技機搬送等の取扱い時においてキズが付いたり破損したりするのを防止し、また、目立たないキズとすることができ、取扱い適性を向上させると共に遊技機の商品価値低下を防止することのできる遊技機用の外郭枠体及び遊技機を提供することを例示的課題とする。
【課題を解決するための手段】
【００１１】
上記の課題を解決するために、本発明の例示的側面としての遊技機用の外郭枠体は、上面を構成する上面部材と、下面を構成する下面部材と、側面を構成する側面部材と、側面部材と上面部材又は下面部材の少なくともいずれか一方とを連結すると共に、連結状態において側面よりも突出する突出部を有する連結部材と、を有し、上面部材、下面部材及び側面部材により略四角筒形状を呈することを特徴とする。
【００１２】
側面よりも連結部材の突出部が突出しているので、側面を下にして床等に載置した場合に、突出部だけを床等に接触させることができる。したがって、遊技機の側面を下にして床等の上を移動させても、突出部以外の部分が破損したりキズ付いたりするのを抑制することができる。キズが付く部位が突出部に集中するので、キズを目立たなくすることができ、遊技機の商品価値低下を防止することができる。
【００１３】
突出部にキズが付いたとしてもそのキズが目立たないキズであるので、過度に慎重な取扱いをする必要がなく、遊技機の搬送や設置における取扱いの作業効率の向上を図ることができ、遊技機の取扱い適性の向上に寄与することができる。
【００１４】
なお、ここにおいて遊技機は、典型的にはパチンコ機を意味するが、もちろん、パチスロ機やその他のゲーム機器等を含む概念である。そのパチンコ機やパチスロ機等における外郭枠体とは、例えば最外郭に配置されて遊技機設置島に取り付けられる筐体枠を意味する。また、上面、下面、側面は、設置状態での遊技機の上下面及び側面を意味するものとする。外郭枠体の側面部材は、典型的にはアルミニウム等の金属を材料とする押出し材や引抜き材を適用することができる。それにより、強度確保、軽量化、コスト低減等の効果を発揮することができるが、もちろん、木材や樹脂を材料として構成してもよい。
【００１５】
上面部材や下面部材は、遊技機設置島に釘等を用いて打ち付けられて固定されるので、筐体枠が使用済みとなった場合であっても再利用が比較的難しい。しかしながら、側面部材は釘打等が行われないので、元来再利用になじみ易い部材である。しかも、アルミニウム等を用いて側面部材を構成すれば、強度・耐用年数・耐腐食性等の観点から、一層再利用の適性を向上させることができる。本発明を適用すれば、側面部材へのキズ付きを防止し、キズを目立ちにくくすることができるので、側面部材を再利用する際にもその商品価値低下を防止することができ、より一層再利用適性を向上させることができる。
【００１６】
その外郭枠体における側面部材の端部が連結部材により覆われていてもよい。
【００１７】
例えば、側面部材にアルミニウムの押出し材を用いれば、高強度、軽量かつ低コストに外郭枠体の側面を構成することができる。その押出し材を切断して側面部材とすると、その端部（切断部）にバリを生じる場合があるが、側面部材の端部が連結部材によって覆われているので、バリの露出を防止することができる。したがって、外郭枠体を安全なものとすることができる。特に、側面部材の突部の端部が連結部材の突出部により覆われていれば、より一層高い安全性を確保することができる。
【００１８】
本発明の他の例示的側面としての遊技機用の外郭枠体は、上面を構成する上面部材と、下面を構成する下面部材と、側面を構成する側面部材と、を有し、上面部材と側面部材及び下面部材と側面部材とが各々連結されて略四角筒形状を呈する遊技機用の外郭枠体であって、上面部材の端部又は下面部材の端部のうち少なくともいずれか一方が、側面よりも突出して連結されていることを特徴とする。
【００１９】
側面部材よりも上面部材の端部又は下面部材の端部のうち少なくともいずれか一方が突出しているので、側面を下にして床等に載置した場合に、上面部材の端部又は下面部材の端部だけを床等に当接させることができる。したがって、遊技機の側面を下にして床等の上を移動させても、その端部以外の部分が破損したりキズ付いたりするのを抑制することができる。キズが付く部位が端部に集中するので、キズを目立たなくすることができ、遊技機の商品価値低下を防止することができる。
【００２０】
この端部にキズが付いたとしてもそのキズが目立たないキズであるので、過度に慎重な取扱いをする必要がなく、遊技機の搬送や設置における取扱いの作業効率の向上を図ることができ、遊技機の取扱い適性の向上に寄与することができる。
【００２１】
上記の外郭枠体において、側面部材が、その側面の少なくとも両端部近傍において突出形成された突部を有し、その突部が、側面部材の長手方向に沿って形成されたレール溝を有してもよい。
【００２２】
側面部材が側面から突出形成された突部を有しているので、床等に微小な隆起があったとしても、側面へのキズ付きを一層確実に防止することができる。側面よりも突部が突出しており、また、突出部や端部も側面より突出しているので、側面へのキズ防止効果を一層向上させることができる。ここで、側面よりも突部が突出し、その突部よりも突出部及び端部が突出するように構成すれば、一層好ましい。
【００２３】
更に、この突部がレール溝を有しているので、遊技機の移動に際して突部にキズが付いたとしても、そのキズが側面部材の長手方向に沿ったキズであれば目立たないものとすることができる。したがって、遊技機の商品価値低下の防止や取扱い作業性向上の効果を得ることができる。
【００２４】
本発明の更に他の例示的側面としての遊技機は、上記の遊技機用の外郭枠体と、外郭枠体に対して前後揺動可能に軸支された内側枠体と、内側枠体の内側に位置して遊技媒体による遊技を実現する遊技演出体と、遊技演出体に対してその前方に一定距離以上離間して配置された前面透明板と、遊技媒体を貯留する貯留皿と、を有することを特徴とする。
【００２５】
この遊技機は、上記の外郭枠体を有しているので、輸送や設置等の取扱いにおいて外郭枠体への損傷やキズが防止される。また、キズが付いたとしても目立たないキズとすることができる。したがって、取扱いによる商品価値の低下が防止された遊技機とすることができる。また、取扱い時において、キズを付けないように過度に慎重な取扱いをする必要がなく、取扱い作業性に優れ、輸送や設置時の作業効率を向上させることができる。
【００２６】
本発明の更なる目的又はその他の特徴は、以下添付図面を参照して説明される好ましい実施の形態によって明らかにされるであろう。
【発明の効果】
【００２７】
本発明によれば、遊技機を輸送又は設置する等の取扱い時において、遊技機用の外郭枠体への損傷やキズ付きを防止することができ、またキズが付いた場合であってもそのキズを目立たないものとすることができる。その結果、遊技機や外郭枠体の商品価値の低下を防止することができる。取扱い時に過度に慎重になる必要がないので、取扱い作業性に優れ、輸送や設置時の作業効率を向上させることができる。
【図面の簡単な説明】
【００２８】
【図１】本発明の実施の形態に係るパチンコ機の正面図である。
【図２】図１に示すパチンコ機が有する筐体枠の外観斜視図である。
【図３】図２に示す筐体枠における上面部材と右側面部材との連結部分を拡大して示した部分拡大斜視図であって（ａ）は斜め上方から見た図であり、（ｂ）は斜め下方から見た図である。
【図４】図３に示す連結部分を分解して示した分解斜視図である。
【図５】図２に示す筐体枠における右側面部材と下面部材との連結部分を拡大して示した部分拡大斜視図である。
【図６】図１に示すパチンコ機が有する筐体枠の上面部材、右側面部材及び下面部材の連結状態について理解を容易とするための模式図である。
【実施するための形態】
【００２９】
以下、本発明の実施の形態について図面を用いて説明する。図１は、本発明の実施の形態に係る遊技機としてのパチンコ機２の正面図である。このパチンコ機２は、枠体３、遊技盤（遊技演出体）６、前面ガラス（前面透明板）１０、装飾枠（前面枠）１２、貯留皿１４を有している。
【００３０】
なお、遊技機は、パチンコ機２の他にパチスロ機、スロットマシン、パロット機、コインゲーム機等のアーケードマシン、各種ゲーム機を概念することができる。すなわち、上下左右側面を有して略四角筒形状とされた筐体枠を備えるあらゆる遊技機を概念として含む。パチンコ機においても、アレンジボール機、雀球機等の組合せ式パチンコ機、いわゆるデジパチタイプ（１種タイプ）やハネモノタイプ（２種タイプ）のパチンコ機等の種々のパチンコ機を概念することができるが、本実施の形態においては、デジパチ遊技を実現するいわゆる１種タイプのパチンコ機（セブン機ともいう。）について例示説明する。
【００３１】
パチンコ機２の枠体３は、後述する遊技盤６を内側に保持し、装飾枠１２と協働してこのパチンコ機２の周囲及び前方又はそれらに加えて後方を囲むように構成される。枠体３の内部には、遊技盤６の他にも各種電子基板や遊技媒体用の経路等各種機構部品が配置され、枠体３及び装飾枠１２によって周囲側方及び前方又はそれらに加えて後方からのパチンコ機２内部への不正アクセスが防止されるようになっている。
【００３２】
枠体３は、例えば、最外郭に配置されてパチンコホールの遊技機設置島に取り付けられる筐体枠（外郭枠体）４、その筐体枠４に対して前後揺動可能に軸支され遊技盤６を保持する機枠（内側枠体）９とを有して枠体３が構成される。そして、その機枠９の前方には、前面ガラス１０とその周囲を装飾する装飾部材６１とを保持する装飾枠１２が配置される。なお、前面ガラス１０は、枠体３内部に保持された遊技盤６を前方から遊技者が視認することができるようにするための透明部材であるが、詳細は後述する。以下、このパチンコ機２の筐体枠４について詳細に説明する。
【００３３】
図２は、このパチンコ機２の筐体枠４の外観斜視図である。筐体枠４は、各々が略四角柱形状とされた上面部材２０、右側面部材２１、下面部材２２、左側面部材２３を有している。これらの部材２０〜２３が各々その端部近傍において相互に連結され、全体として前後に開口した略四角筒形状を呈して筐体枠４が構成されている。
【００３４】
本実施の形態においては、上面部材２０及び下面部材２２は、木材により形成されている。したがって、このパチンコ機２をパチンコホールの遊技機設置島に設置する際には、上面部材２０及び下面部材２２に釘打ちすることにより、容易にその上下において取付けができるようになっている。一方、右側面部材２１及び左側面部材２３は、アルミニウムの押出し材で形成されている。アルミニウムを用いているので強度の確保と軽量化とを図ることができ、かつ押出し材を用いているのでコスト低減に寄与している。
【００３５】
側面部材２１，２３を高強度のアルミニウム押出し材で形成することにより、側面部材２１，２３の左右方向厚みを薄くすることができる。その結果、筐体枠４の内側に配置される機枠９を大きくすることができ、ひいては機枠９に保持される遊技盤６及びその遊技領域６ｂを大きくすることができる。遊技領域６ｂの大面積化を図ることができるので、図柄表示装置７ａ等の役物の大型化や球５１の流下態様の複雑化を実現することができ、一層の興趣向上に寄与することができる。
【００３６】
図３は、この筐体枠４における上面部材２０と右側面部材２１との連結部分を拡大して示した部分拡大斜視図であって（ａ）は斜め上方から見た図であり、（ｂ）は斜め下方から見た図である。図４は、この連結部分を分解して示した分解斜視図である。右側面部材２１は、その外側の面（右側面）２１ａに２つの突状レール部（突部）２１ｂを有している。
【００３７】
突状レール部２１ｂは、右側面２１ａから右側方（図中矢印Ｘ方向）に突出し、上端部２１ｃから下端部に亘り長手方向（図中矢印Ｙ方向）に沿って形成されている。突状レール部２１ｂの表面には、長手方向に沿って数本のレール溝２１ｄがザグリ形成されている。右側面部材２１は、押出し材により形成されているので、上端部２１ｃから下端部に亘るこれらの突状レール部２１ｂ及びレール溝２１ｄを容易に形成することができる。
【００３８】
上面部材２０と右側面部材２１とは、連結部材２５により連結されている。この連結部材２５は、略Ｌ字形状を呈する金属製の連結金具である。連結部材２５は、その両側に２つの突出部２５ａを有している。この突出部２５ａは、連結部材２５の表面２５ｂよりも突出しており、その取付け状態において右側面部材２１の上端部２１ｃを覆うように配置される。より具体的には、右側面部材２１の上端部２１ｃにおける突状レール部２１ｂの端面（端部）と連結部材２５の突出部２５ａとが当接するように配置され、その状態において突出部２５ａが突状レール部２１ｂよりも更に右側方（矢印Ｘ方向）に突出するように位置する。
【００３９】
その結果、パチンコ機２の右側面近傍において、突出部２５ａが最も右側に突出し、続いて突状レール部２１ｂが突出することとなる。連結部材２５の表面２５ｂは突出部２５ａよりも左側に位置し、右側面部材２１の突状レール部２１ｂ以外の右側面２１ａ部分は突状レール部２１ｂよりも左側に位置することとなる。なお、連結部材２５の表面２５ｂが、突状レール部２１ｂよりも左側に位置してももちろん構わない。
【００４０】
突状レール部２１ｂの端面と突出部２５ａとが当接しており、しかも突出部２５ａが突状レール部２１ｂよりも突出しているので、右側面部材２１の製造時（切断時）に生じたバリ等が突状レール部２１ｂの端面に残余していたとしても、突出部２５ａによってその露出、すなわち側方への突出が防止される。したがって、突出部２５ａが筐体枠４の安全性を向上させるという役割を果たしている。
【００４１】
図５は、この筐体枠４における右側面部材２１と下面部材２２との連結部分を拡大して示した部分拡大斜視図である。右側面部材２１と下面部材２２とは連結部材２６により連結されている。その連結状態において、下面部材２２の端部２２ａは、右側面部材２１の突状レール部２１ｂよりも右側方（矢印Ｘ方向）に突出している。
【００４２】
このように、右側面部材２１の上端部２１ｃ近傍においては、連結部材の突出部２５ａが突状レール部２１ｂよりも右側方に突出し、下端部近傍においては、下面部材２２の端部２２ａが突状レール部２１ｂよりも右側方に突出している。したがって、この右側面２１ａを下にしてパチンコ機２を床等に載置しても、右側面２１ａは床等に接触することなく、突出部２５ａと下面部材２２の端部２２ａとが床等に当接することとなる。
【００４３】
この状態でパチンコ機２を滑らせて移動させ、パチンコ機２にキズが発生したとしても、そのキズは比較的面積の小さい突出部２５ａと端部２２ａとに集中する。したがって、目立たないキズとすることができる。パチンコ機２の右側面部材２１へのキズ発生を防止することができるので、搬送等の取扱いによるパチンコ機２の商品価値低下を防止することができる。
【００４４】
床等に隆起があり右側面部材２１に接触したとしても、キズの発生は、右側面２１ａから突出形成された突状レール部２１ｂに集中する。その突状レール部２１ｂには、長手方向に沿ってレール溝２１ｄが形成されているので、長手方向に沿ったキズが付いたとしてもキズは目立たない。そして、右側面２１ａが突状レール部２１ｂよりも奥まって（−Ｘ方向）位置しているので、突状レール部２１ｂにキズが付いたとしても右側面２１ａにまでキズが付くことは殆どない。
【００４５】
なお、図６に、この上面部材２０、右側面部材２１及び下面部材２２の連結状態について、理解を容易とするための模式図を示している。この図６においては、連結部材２５の突出部２５ａ、下面部材２２の端部２２ａ、右側面部材２１の突状レール部２１ｂ及び右側面２１ａの突出位置関係を判り易くするため、突出量は正確でなく拡大表示している。
【００４６】
なお、上記においては、右側面部材２１と上面部材２０又は下面部材２２との関係について説明したが、左側面部材２３と上面部材２０又は下面部材２２との関係についても同様に構成されていれば、パチンコ機２の左側面を下にして床等の上を滑らせた場合でも同様にキズ防止又はキズの目立ち防止効果を得ることができる。
【００４７】
もちろん、右側面部材２１と下面部材２２とが突出部２５ａを有する連結部材２５によって連結されていてもよいし、右側面部材２１と上面部材２０とが連結部材２６によって連結されて、上面部材２０の端部２０ａが突状レール部２１ｂよりも突出するように配置されていてもよい。
【００４８】
以下、パチンコ機２の枠体３以外の構成部分について簡単に説明する。
【００４９】
遊技盤６は、その遊技盤面６ａ側で球（遊技媒体）５１の流下による遊技を実現する盤状部材であり、遊技盤面６ａを前方から遊技者にとって視認可能となるように枠体３（本実施の形態においては、枠体３の一部としての機枠９。）に保持されている。その遊技盤面６ａには略円形状に周囲を囲むようにレール飾り（不図示）が取り付けられており、レール飾りの内周面（内側面）が遊技盤面６ａに対して立設するように配置されている。そして、その内側面によって画定され、内側面に面した略円形状の領域が遊技領域６ｂとなっている。
【００５０】
遊技領域６ｂには、その遊技領域６ｂ内を流下する球５１と衝突してその流下方向を変更させるための多数のゲージ（障害釘、不図示）が配置されている。また、遊技領域６ｂ内には、大入賞口５０、普通入賞口５３、始動口５５等の各種入賞口、通過ゲート５７、風車（不図示）等も配置されており、流下する球５１が各入賞口に流入して景品球払出しの契機となったり、通過ゲート５７を通過したり、風車を回転させたりすることによって、球５１による流下遊技を楽しむことができるようになっている。
【００５１】
遊技領域６ｂ内の略中央部近傍には、例えばセンター役物７が配置され、そのセンター役物７は、図柄表示装置７ａとセンター飾り８とを有している。センター飾り８は、装飾的な造形が施され、また、センター役物７内に流入した球５１の流下態様に変化を与えて遊技演出を実現するステージが形成された造形部材であり、図柄表示装置７ａの表示画面７ｂ周囲に配置されている。
【００５２】
図柄表示装置７ａは、遊技者が遊技盤面６ａ側から視認可能となるように配置され、その表示画面（映像表示面）７ｂ上に映像表示を行う表示装置であって、例えば、液晶表示装置・有機ＥＬディスプレイ・ＬＥＤ等が適用される。図柄表示装置７ａの表示画面７ｂには、３桁の数字又は文字等により構成される図柄７ｃが回転又は停止するように映像として表示される。また、例えば、キャラクター等によるストーリー仕立ての映像としての演出映像も表示されるようになっている。通常遊技時や特別遊技（いわゆる大当たり。）時において、各種図柄７ｃや演出映像を表示することにより、遊技の興趣向上を図ることができるようになっている。
【００５３】
後述する発射ユニットにより球５１が発射されると、球５１はレール飾りの内側面に沿いつつ進行して遊技領域６ｂ内の上部に至る。その後、球５１はゲージに衝突しつつ遊技領域６ｂ内を下方に流下し、あるものは普通入賞口５３に入賞して一定数の景品球払出しの契機となり、あるものはいずれの入賞口にも入賞せずに遊技領域６ｂ内最下部に位置するアウト口５９に流入してパチンコ機２の外部へと排出される。
【００５４】
球５１が始動口５５に流入すると、その流入に起因して図柄表示装置７ａの図柄７ｃが回転表示（特別遊技の抽選。）を開始し、その図柄７ｃが所定の態様（例えば、「７・７・７」。）で停止表示すれば、図柄変動遊技における大当たり（特別遊技）が発生する。そして、大入賞口５０の開閉扉が開放して多量の入賞球を受け入れ、多量の景品球が貯留皿１４へと払い出されるようになっている。
【００５５】
前面ガラス１０は、遊技盤６に対して一定距離以上離間して配置された透明板である。前面ガラス１０は透明平板ガラスで形成されて装飾枠１２の裏面側に保持され、遊技盤６との間に球５１が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００５６】
このパチンコ機２は、球５１を遊技領域６ｂに向けて発射する発射ユニット（不図示）も有している。発射ユニットは、貯留皿１４の一部としての上皿１４ａから球供給装置（不図示）によって発射位置に送り出された球５１を、遊技領域６ｂの上部に向けて発射（弾球）するためのものである。発射ユニットは、例えば発射位置の球５１を弾球する発射杆、その発射杆を駆動する発射モータ、発射杆を付勢して弾球力を発生させる発射バネ等を有してユニット構成され、機枠９に取り付けられている。球発射のために、遊技者の操作に基づいて球発射のオンオフ及びその発射強度調整を実現する発射ハンドル１５は、発射ユニットの一部としてパチンコ機２の前面下方に設けられている。
【００５７】
装飾枠１２は、機枠９の前方に配置されて、例えば樹脂を材料とする枠部材であり、その中央に大きな開口部が形成されている。装飾枠１２の裏面側（後面側）には、開口部を塞いで前面ガラス１０が配置されており、その開口部の周囲には、興趣向上に寄与する装飾部材６１が配置されている。この前面ガラス１０とその周囲の装飾部材６１とが協働して、パチンコ機２の主に前方からの内部への不正アクセスを防止する機能を発揮している。
【００５８】
装飾枠１２は、正面視左側部近傍に位置するヒンジ機構３０によって、機枠９に対して前後揺動可能とされている。そのため、閉鎖されて施錠装置（不図示）によって枠体３と施錠状態にある場合は、パチンコ機２の外部から内部（例えば、遊技盤６。）への不正アクセスが防止され、解錠された場合には、このヒンジ機構３０を中心として容易に前方へ開放可能となり、内部のメンテナンス等を簡単に行うことができるようになっている。
【００５９】
貯留皿１４は、遊技者の持ち球を貯留するためにパチンコ機２の前面に配置された皿部材であって、本実施の形態においては上皿１４ａと下皿１４ｂとを有している。上皿１４ａは、皿枠１６の上部近傍に位置しており、発射すべき球５１を発射ユニットに向けて送出すべく球を貯留している。その上皿１４ａ内の球５１は、球排出ボタン１４ｃによって皿枠１６の下部近傍に位置する下皿１４ｂへと排出することができるようになっている。下皿１４ｂは、上皿１４ａから排出された球５１やファール球を受け取るためのものであって、遊技終了時には、下皿１４ｂ内の球５１を球抜きレバー（不図示）によって、球箱へと落下させることができるようになっている。
【００６０】
以上、本発明の好ましい実施の形態を説明したが、本発明はこれらに限定されるものではなく、その要旨の範囲内で様々な変形や変更が可能である。
【符号の説明】
【００６１】
Ｘ，Ｙ：矢印
２：パチンコ機（遊技機）
３：枠体
４：筐体枠（外郭枠体、枠体の一部）
６：遊技盤（遊技演出体）
６ａ：遊技盤面
６ｂ：遊技領域
７：センター役物
７ａ：図柄表示装置
７ｂ：表示画面（映像表示面）
７ｃ：図柄
８：センター飾り
９：機枠（内側枠体、枠体の一部）
１０：前面ガラス（前面透明板）
１２：装飾枠（前面枠）
１４：貯留皿
１４ａ：上皿
１４ｂ：下皿
１４ｃ：球排出ボタン
１５：発射ハンドル
１６：皿枠
２０：上面部材
２０ａ：端部
２１：右側面部材
２１ａ：右側面
２１ｂ：突状レール部（突部）
２１ｃ：上端部
２１ｄ：レール溝
２２：下面部材
２２ａ：端部
２３：左側面部材
２５：連結部材
２５ａ：突出部
２５ｂ：表面
２６：連結部材
３０：ヒンジ機構
５０：大入賞口
５１：球（遊技媒体）
５３：普通入賞口
５５：始動口
５７：通過ゲート
５９：アウト口
６１：装飾部材
【図１】
0005622333.tif 000002
【図２】
0005622333.tif 000003
【図３】
0005622333.tif 000004
【図４】
0005622333.tif 000005
【図５】
0005622333.tif 000006
【図６】
0005622333.tif 000007